(57)【特許請求の範囲】
【請求項１】
フィルタを備えた換気機構を有する端末装置において、
電源スイッチと、
吸気口及び前記電源スイッチを覆うように配置され、電源投入時に前記電源スイッチを操作可能な位置に移動可能に構成されたフィルタと、
前記フィルタと摺動するように配置され、電源投入時に前記フィルタを清掃するワイパーと、
を有することを特徴とする端末装置。
【請求項２】
前記端末装置は、ＰＯＳ端末装置であることを特徴とする請求項１記載の端末装置。
【請求項３】
オペレーティングシステムが立ち上がる前に、前記フィルタの摺動の時期を表示することを特徴とする請求項１記載の端末装置。
【請求項４】
フィルタを備えた換気機構を有する端末装置において、
電源スイッチと、
吸気口を覆うように配置されたフィルタと、
前記フィルタ及び前記電源スイッチを覆い、前記フィルタ表面を摺動するように配置され、電源投入時に前記電源スイッチを操作可能な位置に移動可能に構成され、前記フィルタを清掃するワイパーと、
を有することを特徴とする端末装置。
【請求項５】
前記端末装置は、ＰＯＳ端末装置であることを特徴とする請求項４記載の端末装置。
【発明の詳細な説明】
【技術分野】
【０００１】
本発明は、フィルタを備えた換気機構を有する端末装置に関する。
【背景技術】
【０００２】
現在、ＰＯＳ(Point Of Sales)端末装置等の端末装置において、端末装置内部のＣＰＵ(Central Processing Unit)等は高速で動作している。動作することでＣＰＵ等の温度が上昇し、端末装置内部の雰囲気温度も上昇している。この雰囲気温度が端末装置が動作不能に陥る雰囲気温度にまで上昇することによる端末装置全体の誤動作を防止するために、ＣＰＵを冷却している。
【０００３】
冷却する場合、端末装置に吸気口、換気用ファン及び排気口を設け、外気を端末装置外部から吸気口を介して内部に吸気し、この外気をＣＰＵに吹き付けている。通常、この吸気口には、フィルタが設けられている。また、吸気口は正面に取り付けられ、換気用ファン及び排気口は装置の背面に取り付けられている。
【０００４】
ところで、このフィルタが設けられた吸気口を長期間清掃しない場合、吸気口にほこり等が詰まって換気しにくくなってしまう。このため、端末装置内部を冷却できなくなるので、端末装置内部の雰囲気温度が上昇し、端末装置が正常に動作できなくなってしまう。
【０００５】
このようなフィルタを清掃する技術として、フィルタが設けられたポンプ装置の使用回数が所定の回数に達すると、フィルタの清掃時期と判定し、ランプを点灯させる技術が提案されている（例えば、特許文献１参照）。また、エアーフィルタが設けられた表示装置において、ファンが駆動される時間の積算値が所定の値以上になると、エアーフィルタの清掃時期と判定し、メッセージを表示する技術が提案されている（例えば、特許文献２参照）。
【特許文献１】特開平１１−１７９０９３号公報
【特許文献２】特開２００３−１５２３７５号公報
【発明の開示】
【発明が解決しようとする課題】
【０００６】
しかし、特許文献１、２によって開示された技術は、端末装置の使用者にフィルタの清掃を強制しないので、端末装置の使用者がフィルタの清掃を忘却する可能性がある。よって、フィルタにほこり等が詰まってしまい、十分に端末装置内部を換気できなくなってしまう。
【０００７】
本発明は、このような点に鑑みてなされたものであり、吸気口にほこり等が詰まりにくい端末装置を提供することを目的とする。
【課題を解決するための手段】
【０００８】
本発明では、上記課題を解決するために、図１に例示するように、フィルタ３を備えた換気機構を有する端末装置において、電源スイッチ２と、吸気口及び電源スイッチ２を覆うように配置され、電源投入時に電源スイッチ２を操作可能な位置に移動可能に構成されたフィルタ３と、フィルタ３と摺動するように配置され、電源投入時にフィルタ３を清掃するワイパー１と、を有することを特徴とする端末装置が提供される。
【０００９】
このような端末装置によると、フィルタ３が吸気口及び電源スイッチ２を覆うように配置されているので、フィルタ３を摺動した後に、電源スイッチ２を押下して電源を投入して端末装置を起動できる。フィルタ３を摺動すると同時に、ワイパー１はフィルタ３と摺動するように配置されているので、ワイパー１がフィルタ３表面をこすってほこり等を落して必然的に清掃することになる。よって、ワイパー１によるフィルタ３の清掃を忘却することはなく、フィルタ３にほこり等が詰まりにくくなる。
【００１０】
また、本発明では、上記課題を解決するために、フィルタを備えた換気機構を有する端末装置において、電源スイッチと、吸気口を覆うように配置されたフィルタと、フィルタ及び電源スイッチを覆い、フィルタ表面を摺動するように配置され、電源投入時に電源スイッチを操作可能な位置に移動可能に構成され、フィルタを清掃するワイパーと、を有することを特徴とする端末装置が提供される。
【００１１】
このような端末装置によると、ワイパーがフィルタ及び電源スイッチを覆うように配置されているので、ワイパーを摺動した後に、電源スイッチを押下して電源を投入して端末装置を起動できる。ワイパーを摺動すると同時に、ワイパーがフィルタ表面を摺動するように配置されているので、ワイパーがフィルタ表面をこすってほこり等を落して必然的に清掃する。よって、ワイパーによるフィルタの清掃を忘却することはなく、フィルタにほこり等が詰まりにくくなる。
【発明の効果】
【００１２】
本発明では、フィルタが吸気口及び電源スイッチを覆うように配置されているので、フィルタを摺動した後に、電源スイッチを押下して電源を投入して端末装置を起動できる。フィルタを摺動すると同時に、ワイパーはフィルタと摺動するように配置されているので、ワイパーがフィルタ表面をこすってほこり等を落して必然的に清掃することになる。よって、ワイパーによるフィルタの清掃を忘却することはなく、フィルタにほこり等が詰まりにくくなり、十分に端末装置内部を換気できる。
【発明を実施するための最良の形態】
【００１３】
以下、本発明の実施の形態を、フィルタを備えた換気機構を有するＰＯＳ端末装置に適用した場合を例に挙げ、図面を参照して詳細に説明する。
まず、第１の実施の形態のフィルタを清掃する機構について説明する。図１は、第１の実施の形態のフィルタを清掃する機構の断面概念図である。
【００１４】
フィルタを清掃する機構において、網目状のフィルタ３は、吸気口（図示せず）及び電源スイッチ２の前面を覆うように配置されている。ワイパー１は、フィルタ３と摺動するように配置されている。このワイパー１は、ブラシ、スポンジ、ゴムもしくはフェルト等で構成されている。摺動センサ４は、フィルタ３の移動を検出できるように配置されている。温度センサ（図示せず）は、端末装置内部のエアルートに配置されている。
【００１５】
ここで、電源スイッチ２は、押下することで電源を投入する。フィルタ３は、摺動によって電源スイッチ２を露出させる。また、フィルタ３は、昆虫等が端末装置内部に入れないようにする。このフィルタの機能により、昆虫等自体及び昆虫等の排泄物によって電気信号がショートせず、誤動作しない。ワイパー１は、電源スイッチ２のドアである。また、ワイパー１は、フィルタ３に付着した付着物を除去する。摺動センサ４は、フィルタ３が摺動してフィルタ３のほこり等を除去したことを検出する。温度センサは、アプリケーションプログラムのバックグランドで端末装置内部の雰囲気温度を定期的に検出する。検出することで、雰囲気温度が高い場合フィルタ３のほこり等が除去されていないとし、低い場合除去されているとする。
【００１６】
このようなフィルタを清掃する機構において、まず、図１（Ａ）に例示するように、フィルタ３は、吸気口及び電源スイッチ２の前面を覆うように配置されている。次に、図１（Ｂ）に例示するように、電源スイッチ２を押下して電源を投入するため、フィルタ３を摺動して電源スイッチ２を露出させる。フィルタ３を摺動すると同時に、ワイパー１がフィルタ３表面をこすってほこり等が落され、摺動センサ４によってほこり等を除去したことが検出される。ほこり等が所定時間除去されない場合、次回の運用時に使用者に対して警告が出される。この電源スイッチ２を押下することで、例えば、電源を投入して端末装置の運用が開始される。運用が開始された端末装置内部の雰囲気温度は、温度センサにより、アプリケーションプログラムのバックグランドで定期的に検出される。検出された雰囲気温度が高い場合、次回の運用時に使用者に対して警告が出される。
【００１７】
なお、ワイパー１は、フィルタ３の前面だけでなく、前面及び後面に配置できる。
次に、第１の実施の形態のフィルタ３を清掃する機構を、ＰＯＳ端末装置に適用した場合について説明する。図２は、第１の実施の形態の電源スイッチが露出していないＰＯＳ端末装置の一部分の斜視図及び正面を裏面から見た図である。図３は、第１の実施の形態の電源スイッチが露出しているＰＯＳ端末装置の一部分の斜視図及び正面を裏面から見た図である。なお、ＰＯＳ端末装置において、吸気口が配置される面を正面とする。
【００１８】
ＰＯＳ端末装置において、まず、図２（Ａ）の斜視図に例示するように、フィルタ３は、吸気口（図示せず）及び電源スイッチ２の前面を覆うように配置されている。ここで、図２（Ｂ）の正面を裏面から見た図に例示するように、電源スイッチ２の後面にフィルタ３が配置されている。次に、図３（Ａ）の斜視図に例示するように、電源スイッチ２を押下して電源を投入するため、フィルタ３を摺動して電源スイッチ２を露出させる。ここで、図３（Ｂ）の正面を裏面から見た図に例示するように、電源スイッチ２の後面からフィルタ３が摺動している。ワイパー１を摺動すると同時に、ワイパー１がフィルタ３表面をこすってほこり等が落され、摺動センサ（図示せず）によってほこり等を除去したことが検出される。ほこり等が所定時間除去されない場合、次回の運用時に使用者に対して警告が出される。この電源スイッチ２を押下することで、電源を投入してＰＯＳ端末装置の運用が開始される。運用が開始されたＰＯＳ端末装置内部の雰囲気温度は、温度センサ（図示せず）により、アプリケーションプログラムのバックグランドで定期的に検出される。検出された雰囲気温度が高い場合、次回の運用時に使用者に対して警告が出される。
【００１９】
次に、ＰＯＳ端末装置のシステム構成について説明する。図４は、ＰＯＳ端末装置のシステム構成を示す図である。
ＰＯＳ端末装置は、摺動センサ４、温度センサ５、チップ群１０、４０、ＣＰＵ２０、ＲＡＭ(Random Access Memory)３０、フラッシュメモリ５０、ディスク６０、ハードウェアモニタ７０及びバッテリー８０を有している。チップ群４０は、ＣＭＯＳメモリ４１及びＲＴＣ(Real Time Clock)４２を有している。フラッシュメモリ５０は、ＢＩＯＳプログラム５１を有している。
【００２０】
摺動センサ４は、ワイパー１が摺動する場所に配置されている。温度センサ５は、ＰＯＳ端末装置内部のエアルートに配置されている。
ここで、ＲＴＣ４２は、時間を管理し、ＲＡＭ３０、フラッシュメモリ５０、ディスク６０及びＣＭＯＳメモリ４１は、各データ、ＯＳ(Operating System)のプログラム及びアプリケーションプログラムを記憶する。それらのデータやプログラムに従い、ＣＰＵ２０は、ＰＯＳ端末装置を制御する。また、ハードウェアモニタ７０はハードウェアを監視し、摺動センサ４はワイパー１が摺動してフィルタ３のほこり等を除去したことを検出し、温度センサ５はアプリケーションプログラムのバックグランドでＰＯＳ端末装置内部の雰囲気温度を定期的に検出する。これらの摺動センサ４及び温度センサ５によって検出されたＰＯＳ端末装置内部の最高の雰囲気温度、ワイパー１が摺動して開閉した時間、及び、前回のワイパー１の開閉時間から経過した時間は、フラッシュメモリ５０及びＣＭＯＳメモリ４１に記憶される。この摺動センサ４は、バッテリー８０がＣＭＯＳメモリ４１、ＲＴＣ４２及びハードウェアモニタ７０に対して電源スイッチが押下されなくても電源を供給しているので、電源スイッチが押下されなくても動作できる。なお、チップ群１０、４０は、所定のチップの集合体である。
【００２１】
なお、バッテリー８０は、コイン型電池もしくはボタン型電池等である。
次に、ハードウェアモニタ７０の設定ツールに従った、ＰＯＳ端末装置内部の警戒が必要な雰囲気温度であるアラーム温度、及び、前回のワイパー１の開閉時間からの警戒が必要な経過時間であるアラーム時間の設定例について説明する。図５は、アラーム温度及びアラーム時間（日数）の設定例を示す図である。
【００２２】
アラーム温度及びアラーム時間（日数）の設定例は、ワイパー番号、アラーム温度及びアラーム時間（日数）を有している。
ここで、ワイパー番号は、ワイパー１を代表する番号である。アラーム温度は、ＰＯＳ端末装置内部の警戒が必要な雰囲気温度である。このアラーム温度は、ＰＯＳ端末装置が動作不能に陥る雰囲気温度でなく、ＰＯＳ端末装置が動作不能に陥ってシャットダウンをしないように、動作不能に陥る雰囲気温度よりも低い温度である。例えば、ＰＯＳ端末装置内部の雰囲気温度が６０度以上になった場合、アラームが鳴る等の警告がされ、ワイパー番号が“Ａ００１”のワイパー１を、摺動させて開閉する必要がある。アラーム時間は、前回のワイパー１の開閉時間からの警戒が必要な経過時間である。例えば、前回のワイパー１の開閉時間から５０日以上経過した場合、アラームが鳴る等の警告がされ、ワイパー番号が“Ａ００１”のワイパー１を、摺動させて開閉する必要がある。
【００２３】
なお、これらのアラーム温度及びアラーム時間の設定は、ＣＭＯＳメモリ４１及びフラッシュメモリ５０に記憶される。
次に、摺動センサ４及び温度センサ５の検出結果について説明する。図６は、摺動センサ及び温度センサの検出結果を示す図である。
【００２４】
摺動センサ４及び温度センサ５の検出結果は、ワイパー番号、最高温度、温度フラグ、開閉時間、経過時間（日数）及び時間フラグを有している。
ここで、ワイパー番号は、ワイパー１を代表する番号である。最高温度は、ＰＯＳ端末装置内部の最高の雰囲気温度である。温度フラグは、図５で例示したアラーム温度よりも最高温度が高い場合“１”を設定し、低い場合“０”を設定する。例えば、ワイパー番号が“Ａ００１”のワイパー１について、アラーム温度が６０度であって最高温度は６２度である場合、温度フラグを“１”に設定する。開閉時間は、ワイパー１が摺動して開閉した時間である。経過時間は、前回のワイパー１の開閉時間から経過した時間である。時間フラグは、図５で例示したアラーム時間よりも長い経過時間が経過した場合“１”を設定し、経過しなかった場合“０”を設定する。例えば、ワイパー番号が“Ａ００１”のワイパー１について、アラーム時間が５０日であって経過時間が５１日である場合、時間フラグを“１”に設定する。
【００２５】
なお、これらの摺動センサ４及び温度センサ５の検出結果は、ＣＭＯＳメモリ４１及びフラッシュメモリ５０に記憶される。
また、最高温度、開閉時間及び経過時間の履歴を記憶できる。その履歴から、過去の最高温度、開閉時間及び経過時間の相関関係を分析でき、分析結果に応じた対策を立てられる。
【００２６】
次に、ＰＯＳ端末装置の使用者にフィルタ３の清掃を促す処理について説明する。図７は、第１の実施の形態のフィルタの清掃を促す処理を示すフローチャートである。ここでの処理は、ＯＳが立ち上がる前に実行される。
【００２７】
｛ステップＳ１１｝摺動センサ４は、フィルタ３が摺動して開閉したか否かを判定する。開閉した場合処理はステップＳ１２へ進み、開閉しなかった場合処理はステップＳ１３へ進む。
【００２８】
｛ステップＳ１２｝ハードウェアモニタ７０は、経過時間をリセットし、開閉時間を記憶する。
｛ステップＳ１３｝ハードウェアモニタ７０は、前回の運用時において、アラーム温度よりも最高温度が高いか否かを判定する。高い場合処理はステップＳ１５へ進み、低い場合処理はステップＳ１４へ進む。
【００２９】
｛ステップＳ１４｝ハードウェアモニタ７０は、アラーム時間よりも長い経過時間が経過したか否かを判定する。経過した場合処理はステップＳ１５へ進み、経過しなかった場合処理は終了する。
【００３０】
｛ステップＳ１５｝ハードウェアモニタ７０は、ＰＯＳ端末装置の使用者にフィルタ３の清掃を促すメッセージ画面を表示する。
｛ステップＳ１６｝摺動センサ４は、フィルタ３が摺動して開閉したか否かを判定する。開閉した場合処理はステップＳ１７へ進み、開閉しなかった場合処理は終了する。なお、開閉しなかった場合、経過時間はリセットされずに加算される。
【００３１】
｛ステップＳ１７｝ハードウェアモニタ７０は、経過時間をリセットし、開閉時間を記憶する。また、ハードウェアモニタ７０は、メッセージ画面を自動で閉じる。
なお、手動で電源スイッチ２を押下して電源を投入する場合、電源を投入すると同時にワイパー１がフィルタ３表面をこすってほこり等を落すので、ステップＳ１３からステップＳ１７までの処理は不要である。これに対し、電源スイッチ２を押下しないでネットワークを介して電源を投入する場合、及び、電源スイッチ２を押下しないでタイマーによって自動で電源を投入する場合、電源を投入すると同時にワイパー１がフィルタ３表面をこすってほこり等を落さないので、ステップＳ１３からステップＳ１７までの処理は必要である。
【００３２】
次に、図７のフローチャートのステップＳ１５で表示されるメッセージ画面について説明する。図８は、メッセージ画面を示す図である。
メッセージ画面に“ＷＡＲＮＩＮＧ！”、及び、“ほこりが詰まっているか確認してください。”が表示され、ＰＯＳ端末装置の使用者に対してフィルタ３の清掃を促している。
【００３３】
このようにすると、手動で電源スイッチ２を押下して電源を投入する場合、フィルタ３が吸気口及び電源スイッチ２の前面を覆うように配置されているので、フィルタ３を摺動した後に、電源スイッチ２を押下して電源を投入して端末装置を起動できる。フィルタ３を摺動すると同時に、ワイパー１はフィルタ３と摺動するように配置されているので、ワイパー１がフィルタ３表面をこすってほこり等を落して必然的に清掃することになる。よって、ワイパー１によるフィルタ３の清掃を忘却することはなく、フィルタ３にほこり等が詰まりにくくなり、十分にＰＯＳ端末装置内部を換気できる。よって、ＰＯＳ端末装置の信頼性を向上できる。また、ＰＯＳ端末装置の定期検査が不要になる。よって、ＰＯＳ端末装置の検査費用を削減できる。
【００３４】
また、電源スイッチ２を押下しないでネットワークを介して電源を投入する場合、及び、電源スイッチ２を押下しないでタイマーによって自動で電源を投入する場合、電源スイッチ２を押下してＢＩＯＳプログラム５１が走行し、ＯＳが立ち上がる前のＢＩＯＳプログラム５１走行中にＰＯＳ端末装置の使用者に確実にフィルタ３の清掃を促せるので、ワイパー１によるフィルタ３の清掃を忘却することはなく、フィルタ３にほこり等が詰まりにくくなり、十分にＰＯＳ端末装置内部を換気できる。よって、ＰＯＳ端末装置の信頼性を向上できる。また、ＰＯＳ端末装置の定期検査が不要になる。よって、ＰＯＳ端末装置の検査費用を削減できる。また、ＯＳが立ち上がった後の作業中にアラームが鳴ったりＰＯＳ端末装置がシャットダウンをしたりしない。よって、ＰＯＳ端末装置を用いた作業が中断させられない。
【００３５】
また、電源スイッチ２の前面にワイパー１を設置するだけなので、ＰＯＳ端末装置の製造コストは大幅に増加しない。
なお、フィルタ３とＰＯＳ端末装置内壁とにばねを設置し、そのばねによってフィルタ３の開閉を補助できる。
【００３６】
また、フィルタ３にモータを設置し、そのモータによってフィルタ３が自動で摺動して開閉できる。
また、電源スイッチ２でなく、使用頻度の高いスイッチでもよい。この使用頻度に比例してフィルタ３の清掃回数が増加し、フィルタ３にほこり等が詰まりにくくなり、十分にＰＯＳ端末装置内部を換気できる。よって、ＰＯＳ端末装置の信頼性を向上できる。
【００３７】
また、ＰＯＳ端末装置だけでなく、フィルタを備えた換気機構を有するコンピュータ及びＡＴＭ(Auto Teller's Machine)端末装置に対しても適用できる。
また、定期的に保守作業をすると、よりＰＯＳ端末装置の信頼性を向上できる。
【００３８】
次に、第２の実施の形態のフィルタを清掃する機構について説明する。図９は、第２の実施の形態のフィルタを清掃する機構の正面概念図である。
フィルタを清掃する機構において、網目状のフィルタ３ａは、吸気口（図示せず）の前面に配置されている。網目状のワイパー１ａは、フィルタ３ａ及び電源スイッチ２ａの前面を覆うように配置され、フィルタ３ａ表面を摺動するように配置されている。摺動センサ４は、ワイパー１ａの移動を検出できる場所に配置されている。温度センサ（図示せず）は、端末装置内部のエアルートに配置されている。
【００３９】
ここで、電源スイッチ２ａは、押下することで電源を投入する。フィルタ３ａは、昆虫等が端末装置内部に入れないようにする。このフィルタの機能により、昆虫等自体及び昆虫等の排泄物によって電気信号がショートせず、誤動作しない。ワイパー１ａは、電源スイッチ２ａのドアであり、摺動によって電源スイッチを露出させる。また、ワイパー１ａは、フィルタ３ａに付着した付着物を除去する。摺動センサ４は、ワイパー１ａが摺動してフィルタ３ａのほこり等を除去したことを検出する。温度センサは、アプリケーションプログラムのバックグランドで端末装置内部の雰囲気温度を定期的に検出する。検出することで、雰囲気温度が高い場合フィルタ３ａのほこり等が除去されていないとし、低い場合除去されているとする。
【００４０】
このようなフィルタを清掃する機構において、まず、図９（Ａ）に例示するように、ワイパー１ａは、フィルタ３ａ及び電源スイッチ２ａの前面を覆うように配置されている。次に、図９（Ｂ）に例示するように、電源スイッチ２ａを押下して電源を投入するため、ワイパー１ａを摺動して電源スイッチ２ａを露出させる。ワイパー１ａを摺動すると同時に、ワイパー１ａがフィルタ３ａ表面をこすってほこり等が落され、摺動センサ４によってほこり等を除去したことが検出される。ほこり等が所定時間除去されない場合、次回の運用時に使用者に対して警告が出される。この電源スイッチ２ａを押下することで、例えば、電源を投入して端末装置の運用が開始される。運用が開始された端末装置内部の雰囲気温度は、温度センサにより、アプリケーションプログラムのバックグランドで定期的に検出される。検出された雰囲気温度が高い場合、次回の運用時に使用者に対して警告が出される。
【００４１】
次に、第２の実施の形態のフィルタ３ａを清掃する機構を、ＰＯＳ端末装置に適用した場合について説明する。図１０は、第２の実施の形態の電源スイッチが露出していないＰＯＳ端末装置の正面図である。図１１は、第２の実施の形態の電源スイッチが露出しているＰＯＳ端末装置の正面図である。なお、ＰＯＳ端末装置において、吸気口が配置される面を正面とする。
【００４２】
ＰＯＳ端末装置において、まず、図１０に例示するように、ワイパー１ａは、フィルタ３ａ及び電源スイッチ２ａの前面を覆うように配置されている。次に、図１１に例示するように、電源スイッチ２ａを押下して電源を投入するため、ワイパー１ａを摺動して電源スイッチ２ａを露出させる。ワイパー１ａを摺動すると同時に、ワイパー１ａがフィルタ３ａ表面をこすってほこり等が落され、摺動センサ４によってほこり等を除去したことが検出される。ほこり等が所定時間除去されない場合、次回の運用時に使用者に対して警告が出される。この電源スイッチ２ａを押下することで、電源を投入してＰＯＳ端末装置の運用が開始される。運用が開始されたＰＯＳ端末装置内部の雰囲気温度は、温度センサ（図示せず）により、アプリケーションプログラムのバックグランドで定期的に検出される。検出された雰囲気温度が高い場合、次回の運用時に使用者に対して警告が出される。
【００４３】
ここで、ＰＯＳ端末装置のシステム構成において、第１の実施の形態と第２の実施の形態とは同一である。また、アラーム温度及びアラーム時間の設定例において、第１の実施の形態と第２の実施の形態とは同一である。また、摺動センサ４及び温度センサ５の検出結果において、第１の実施の形態と第２の実施の形態とは同一である。
【００４４】
次に、ＰＯＳ端末装置の使用者にフィルタ３ａの清掃を促す処理について説明する。図１２は、第２の実施の形態のフィルタの清掃を促す処理を示すフローチャートである。ここでの処理は、ＯＳが立ち上がる前に実行される。
【００４５】
｛ステップＳ１１ａ｝摺動センサ４は、ワイパー１ａが摺動して開閉したか否かを判定する。開閉した場合処理はステップＳ１２ａへ進み、開閉しなかった場合処理はステップＳ１３ａへ進む。
【００４６】
｛ステップＳ１２ａ｝ハードウェアモニタ７０は、経過時間をリセットし、開閉時間を記憶する。
｛ステップＳ１３ａ｝ハードウェアモニタ７０は、前回の運用時において、アラーム温度よりも最高温度が高いか否かを判定する。高い場合処理はステップＳ１５ａへ進み、低い場合処理はステップＳ１４ａへ進む。
【００４７】
｛ステップＳ１４ａ｝ハードウェアモニタ７０は、アラーム時間よりも長い経過時間が経過したか否かを判定する。経過した場合処理はステップＳ１５ａへ進み、経過しなかった場合処理は終了する。
【００４８】
｛ステップＳ１５ａ｝ハードウェアモニタ７０は、ＰＯＳ端末装置の使用者にフィルタ３ａの清掃を促すメッセージ画面を表示する。
｛ステップＳ１６ａ｝摺動センサ４は、ワイパー１ａが摺動して開閉したか否かを判定する。開閉した場合処理はステップＳ１７ａへ進み、開閉しなかった場合処理は終了する。なお、開閉しなかった場合、経過時間はリセットされずに加算される。
【００４９】
｛ステップＳ１７ａ｝ハードウェアモニタ７０は、経過時間をリセットし、開閉時間を記憶する。また、ハードウェアモニタ７０は、メッセージ画面を自動で閉じる。
なお、手動で電源スイッチ２ａを押下して電源を投入する場合、電源を投入すると同時にワイパー１ａがフィルタ３ａ表面をこすってほこり等を落すので、ステップＳ１３ａからステップＳ１７ａまでの処理は不要である。これに対し、電源スイッチ２ａを押下しないでネットワークを介して電源を投入する場合、及び、電源スイッチ２ａを押下しないでタイマーによって自動で電源を投入する場合、電源を投入すると同時にワイパー１ａがフィルタ３ａ表面をこすってほこり等を落さないので、ステップＳ１３ａからステップＳ１７ａまでの処理は必要である。
【００５０】
ここで、図１２のフローチャートのステップＳ１５ａで表示されるメッセージ画面は、図７のフローチャートのステップＳ１５で表示されるメッセージ画面と同一である。
このようにすると、手動で電源スイッチ２ａを押下して電源を投入する場合、ワイパー１ａがフィルタ３ａ及び電源スイッチ２ａの前面を覆うように配置されているので、ワイパー１ａを摺動した後に、電源スイッチ２ａを押下して電源を投入して端末装置を起動できる。ワイパー１ａを摺動すると同時に、ワイパー１ａがフィルタ３ａ表面を摺動するように配置されているので、ワイパー１ａがフィルタ３ａ表面をこすってほこり等を落して必然的に清掃することになる。よって、ワイパー１ａによるフィルタ３ａの清掃を忘却することはなく、フィルタ３ａにほこり等が詰まりにくくなり、十分にＰＯＳ端末装置内部を換気できる。よって、ＰＯＳ端末装置の信頼性を向上できる。また、ＰＯＳ端末装置の定期検査が不要になる。よって、ＰＯＳ端末装置の検査費用を削減できる。
【００５１】
また、電源スイッチ２ａを押下しないでネットワークを介して電源を投入する場合、及び、電源スイッチ２ａを押下しないでタイマーによって自動で電源を投入する場合、電源スイッチ２ａを押下してＢＩＯＳプログラム５１が走行し、ＯＳが立ち上がる前のＢＩＯＳプログラム５１走行中にＰＯＳ端末装置の使用者に確実にフィルタ３ａの清掃を促せるので、ワイパー１ａによるフィルタ３ａの清掃を忘却することはなく、フィルタ３ａにほこり等が詰まりにくくなり、十分にＰＯＳ端末装置内部を換気できる。よって、ＰＯＳ端末装置の信頼性を向上できる。また、ＰＯＳ端末装置の定期検査が不要になる。よって、ＰＯＳ端末装置の検査費用を削減できる。また、ＯＳが立ち上がった後の作業中にアラームが鳴ったりＰＯＳ端末装置がシャットダウンをしたりしない。よって、ＰＯＳ端末装置を用いた作業が中断させられない。
【００５２】
また、電源スイッチ２ａの前面にワイパー１ａを設置するだけなので、ＰＯＳ端末装置の製造コストは大幅に増加しない。
なお、ワイパー１ａとＰＯＳ端末装置内壁とにばねを設置し、そのばねによってワイパー１ａの開閉を補助できる。
【００５３】
また、ワイパー１ａにモータを設置し、そのモータによってワイパー１ａが自動で摺動して開閉できる。
また、電源スイッチ２ａでなく、使用頻度の高いスイッチでもよい。この使用頻度に比例してフィルタ３ａの清掃回数が増加し、フィルタ３ａにほこり等が詰まりにくくなり、十分にＰＯＳ端末装置内部を換気できる。よって、ＰＯＳ端末装置の信頼性を向上できる。
【００５４】
また、ＰＯＳ端末装置だけでなく、フィルタを備えた換気機構を有するコンピュータ及びＡＴＭ端末装置に対しても適用できる。
また、定期的に保守作業をすると、よりＰＯＳ端末装置の信頼性を向上できる。
【００５５】
（付記１）  フィルタを備えた換気機構を有する端末装置において、
電源スイッチと、
吸気口及び前記電源スイッチを覆うように配置され、電源投入時に前記電源スイッチを操作可能な位置に移動可能に構成されたフィルタと、
前記フィルタと摺動するように配置され、電源投入時に前記フィルタを清掃するワイパーと、
を有することを特徴とする端末装置。
【００５６】
（付記２）  前記端末装置は、ＰＯＳ端末装置であることを特徴とする付記１記載の端末装置。
（付記３）  前記端末装置は、ＡＴＭ端末装置であることを特徴とする付記１記載の端末装置。
【００５７】
（付記４）  前記ワイパーは、ブラシ状に形成されることを特徴とする付記１記載の端末装置。
（付記５）  前記ワイパーは、スポンジ状に形成されることを特徴とする付記１記載の端末装置。
【００５８】
（付記６）  前記ワイパーは、ゴムであることを特徴とする付記１記載の端末装置。
（付記７）  前記ワイパーは、フェルトであることを特徴とする付記１記載の端末装置。
【００５９】
（付記８）  前記ワイパーは、前記フィルタの前面に配置されることを特徴とする付記１記載の端末装置。
（付記９）  前記ワイパーは、前記フィルタの前面及び後面に配置されることを特徴とする付記１記載の端末装置。
【００６０】
（付記１０）  前記フィルタが摺動したことを検出する摺動センサ、
をさらに有することを特徴とする付記１記載の端末装置。
（付記１１）  装置内部の雰囲気温度を検出する温度センサ、
をさらに有することを特徴とする付記１記載の端末装置。
【００６１】
（付記１２）  オペレーティングシステムが立ち上がる前に、前記フィルタの摺動の時期を表示することを特徴とする付記１記載の端末装置。
（付記１３）  フィルタを備えた換気機構を有する端末装置において、
電源スイッチと、
吸気口を覆うように配置されたフィルタと、
前記フィルタ及び前記電源スイッチを覆い、前記フィルタ表面を摺動するように配置され、電源投入時に前記電源スイッチを操作可能な位置に移動可能に構成され、前記フィルタを清掃するワイパーと、
を有することを特徴とする端末装置。
【００６２】
（付記１４）  前記端末装置は、ＰＯＳ端末装置であることを特徴とする付記１３記載の端末装置。
（付記１５）  前記端末装置は、ＡＴＭ端末装置であることを特徴とする付記１３記載の端末装置。
【００６３】
（付記１６）  前記ワイパーは、網目状に形成されることを特徴とする付記１３記載の端末装置。
（付記１７）  前記ワイパーが摺動したことを検出する摺動センサ、
をさらに有することを特徴とする付記１３記載の端末装置。
【００６４】
（付記１８）  装置内部の雰囲気温度を検出する温度センサ、
をさらに有することを特徴とする付記１３記載の端末装置。
（付記１９）  オペレーティングシステムが立ち上がる前に、前記ワイパーの摺動の時期を表示することを特徴とする付記１３記載の端末装置。
【図面の簡単な説明】
【００６５】
【図１】第１の実施の形態のフィルタを清掃する機構の断面概念図である。
【図２】第１の実施の形態の電源スイッチが露出していないＰＯＳ端末装置の一部分の斜視図及び正面を裏面から見た図である。
【図３】第１の実施の形態の電源スイッチが露出しているＰＯＳ端末装置の一部分の斜視図及び正面を裏面から見た図である。
【図４】ＰＯＳ端末装置のシステム構成を示す図である。
【図５】アラーム温度及びアラーム時間（日数）の設定例を示す図である。
【図６】摺動センサ及び温度センサの検出結果を示す図である。
【図７】第１の実施の形態のフィルタの清掃を促す処理を示すフローチャートである。
【図８】メッセージ画面を示す図である。
【図９】第２の実施の形態のフィルタを清掃する機構の正面概念図である。
【図１０】第２の実施の形態の電源スイッチが露出していないＰＯＳ端末装置の正面図である。
【図１１】第２の実施の形態の電源スイッチが露出しているＰＯＳ端末装置の正面図である。
【図１２】第２の実施の形態のフィルタの清掃を促す処理を示すフローチャートである。
【符号の説明】
【００６６】
１  ワイパー
２  電源スイッチ
３  フィルタ
４  摺動センサ
【図１】
0004505641.tif 000002
【図２】
0004505641.tif 000003
【図３】
0004505641.tif 000004
【図４】
0004505641.tif 000005
【図５】
0004505641.tif 000006
【図６】
0004505641.tif 000007
【図７】
0004505641.tif 000008
【図８】
0004505641.tif 000009
【図９】
0004505641.tif 000010
【図１０】
0004505641.tif 000011
【図１１】
0004505641.tif 000012
【図１２】
0004505641.tif 000013